(57)【要約】【課題】呼び鈴音の有無を聴覚障害者に対して確実に報知させる。【解決手段】来訪者が呼び鈴ボタンを押下することで発せられた呼び鈴音を在宅者である聴覚障害者に報知させる呼び鈴音報知システムにおいて、前記呼び鈴音が生成される際に警報電波を生成して送信アンテナより送信する呼び鈴装置と、前記警報電波を受信アンテナを介して受信した場合、当該受信した旨を当該聴覚障害者に触覚的及び／又は視覚的に報知させる呼び鈴音報知装置と、を有することとする。【選択図】図１
2007183882.tif 000002
【特許請求の範囲】
【請求項１】
来訪者が呼び鈴ボタンを押下することで発せられた呼び鈴音を在宅者である聴覚障害者に報知させるための呼び鈴装置において、
当該呼び鈴音の有無を当該聴覚障害者に触覚的及び／又は視覚的に報知せしめる受信装置に対して、前記呼び鈴音が生成される際に警報電波を生成して送信アンテナより送信すること、を特徴とする呼び鈴装置。
【請求項２】
前記警報電波は、ＦＭ変調された電波であること、を特徴とする請求項１に記載の呼び鈴装置。
【請求項３】
前記呼び鈴装置は、前記呼び鈴音の１回分の生成に際して前記警報電波を複数回送信すること、を特徴とする請求項１又は２に記載の呼び鈴装置。
【請求項４】
来訪者が呼び鈴ボタンを押下することで発せられた呼び鈴音を在宅者である聴覚障害者に報知させるための呼び鈴音報知装置において、
当該呼び鈴音が生成された際に送信される警報電波を受信アンテナを介して受信した場合に、当該受信した旨を当該聴覚障害者に対して触覚的及び／又は視覚的に報知せしめること、を特徴とする呼び鈴音報知装置。
【請求項５】
前記警報電波は、ＦＭ変調された電波であること、を特徴とする請求項４に記載の呼び鈴装置。
【請求項６】
前記警報電波を受信した場合に、
前記触覚的な報知のために振動させるバイブレータと、
前記視覚的な報知のために警報メッセージを表示させるディスプレイ及び／又は警報色を発光させる発光素子と、
を有することを特徴とする請求項４又は５に記載の呼び鈴音報知装置。
【請求項７】
前記警報電波には前記呼び鈴ボタンが配設された住居ごとに対応づけられる固有な識別子が付与されており、
前記警報電波を受信した場合、
予め記憶しておいた前記識別子と、前記警報電波に付与された前記識別子との照合がとれたとき、前記警報電波を受信した旨を当該聴覚障害者に対して触覚的及び／又は視覚的に報知せしめること、を特徴とする請求項４乃至６のいずれかに記載の呼び鈴音報知装置。
【請求項８】
来訪者が呼び鈴ボタンを押下することで発せられた呼び鈴音を在宅者である聴覚障害者に報知させる呼び鈴音報知システムにおいて、
前記呼び鈴音が生成される際に、警報電波を生成して送信アンテナより送信する呼び鈴装置と、
前記警報電波を受信アンテナを介して受信した場合、当該受信した旨を当該聴覚障害者に触覚的及び／又は視覚的に報知させる呼び鈴音報知装置と、
を有することを特徴とする呼び鈴音報知システム。
【発明の詳細な説明】
【技術分野】
【０００１】
本発明は、呼び鈴装置、呼び鈴音報知装置、呼び鈴音報知システムに関する。
【背景技術】
【０００２】
住宅等の玄関付近に呼出インターホン（呼び鈴ボタン、受話機等）やＣＣＤカメラを設置するとともに、かかる住居内には応答インターホン並びにディスプレイ等を設置しておき、来訪者が自身の来訪を在宅者に報知せしめるべく呼び鈴ボタンを押下した場合には、在宅者は、応答インターホンを介して来訪者と対話し、ＣＣＤカメラによって撮像された来訪者の映像をディスプレイに表示する仕組みが一般的に利用されている。
【０００３】
しかしながら、在宅者が聴覚障害者の場合には、一般的には、呼出ボタンの押下より発せられる呼び鈴音を補聴器等で増幅して聞き取ることになるが、周囲環境の雑音等によって、補聴器を用いているにも関わらず、かかる呼び鈴音が聞き取りにくくなる恐れがある。このため、例えば、以下に示す特許文献１では、呼び鈴音等といった日常生活で発生する注目すべき特定生活音の周波数成分をＰＬＬ回路によって検出して、視覚的又は触覚的にその特定生活音が検出された旨を聴覚障害者に報知させる従来技術が開示されている。
【特許文献１】特開２００４−６１９３２号公報
【発明の開示】
【発明が解決しようとする課題】
【０００４】
しかしながら、前述した従来技術は、呼び鈴音を聴覚障害者に知らせる場合に、その呼び鈴音に含まれる周波数成分をＰＬＬ回路によって検出する仕組みである。すなわち、前述した従来技術は、呼び鈴音（音波による空気振動）をそのまま利用する形式である。このため、一般生活で生じうる様々な雑音等の影響を受けて、呼び鈴音の周波数は容易に変化し、かかる呼び鈴音の誤検出や未検出となる恐れがある。また、ＰＬＬ回路における周波数分周器の設定値やＶＣＯの電圧値等の調整を絶えず行わなければならず、実用には耐えがたいものである。
【課題を解決するための手段】
【０００５】
前述した課題を解決する主たる本発明は、来訪者が呼び鈴ボタンを押下することで発せられた呼び鈴音を在宅者である聴覚障害者に報知させるための呼び鈴装置において、当該呼び鈴音の有無を当該聴覚障害者に触覚的及び／又は視覚的に報知せしめる受信装置に対して、前記呼び鈴音が生成される際に警報電波を生成して送信アンテナより送信すること、とする。この結果、聴覚障害者は、その電波を受信した受信装置によって、呼び鈴音の有無を確実且つ触覚的及び／又は視覚的に認知できるようになる。
【０００６】
前述した課題を解決するその他の主たる本発明は、来訪者が呼び鈴ボタンを押下することで発せられた呼び鈴音を在宅者である聴覚障害者に報知させるための呼び鈴音報知装置において、当該呼び鈴音が生成された際に送信される警報電波を受信アンテナを介して受信した場合に、当該受信した旨を当該聴覚障害者に対して触覚的及び／又は視覚的に報知せしめること、とする。すなわち、呼び鈴音報知装置は、雑音等で周波数が変動し易い音波（呼び鈴音）を受信するのではなく、音波よりも雑音に強くて安定的に空気中を伝搬する電波（警報電波）を受信する。この結果、聴覚障害者は、その電波を受信した受信装置によって、呼び鈴音の有無を確実且つ触覚的及び／又は視覚的に認知できるようになる。
【０００７】
前述した課題を解決するその他の主たる本発明は、来訪者が呼び鈴ボタンを押下することで発せられた呼び鈴音を在宅者である聴覚障害者に報知させる呼び鈴音報知システムにおいて、前記呼び鈴音が生成される際に、警報電波を生成して送信アンテナより送信する呼び鈴装置と、前記警報電波を受信アンテナを介して受信した場合、当該受信した旨を当該聴覚障害者に触覚的及び／又は視覚的に報知させる呼び鈴音報知装置と、を有することとする。
【発明の効果】
【０００８】
本発明によれば、呼び鈴音の有無を聴覚障害者に対して確実に報知させることが可能な、呼び鈴音報知システム、呼び鈴装置、呼び鈴音報知装置を提供することができる。
【発明を実施するための最良の形態】
【０００９】
＜呼び鈴音報知システムの適用事例＞
図１は、本発明に係る呼び鈴音報知システムの一適用事例を示した図である。  
来訪者３００は、呼び鈴装置１００に取り付けられる呼び鈴ボタン１０１の押下操作によって、呼び鈴装置１００が発する呼び鈴音を通じて在宅者である聴覚障害者４００に対して自身が来訪した旨を報知させる。さらに、来訪者３００は、聴覚障害者４００（身体障害者福祉法：別表に定める）向けとして、呼び鈴ボタン１０１の押下操作によって呼び鈴音が生成される際、その呼び鈴音に付帯させた警報電波を送信する。
【００１０】
一方、在宅中の聴覚障害者４００は、首からぶら下げる等して、呼び鈴音報知装置２００を携帯している。呼び鈴音報知装置２００は、呼び鈴装置１００から呼び鈴音に付帯させた警報電波を受信した際、警報電波を受信した旨を聴覚障害者４００に触覚的及び／又は視覚的に報知させる装置である。このように、呼び鈴音報知装置２００は、雑音等で周波数が変動し易い音波（呼び鈴音）を用いるのではなく、音波よりも雑音に強くて安定的に空気中を伝搬する電波（警報電波）を用いて、触覚的及び／又は視覚的に呼び鈴音の有無を確実に認知できるようになる。
【００１１】
＜呼び鈴装置＞
図２は、本発明の一実施形態に係る呼び鈴装置１００の構成を示す図である。
【００１２】
呼び鈴ボタン１０１は、来訪者３００による押下操作によって呼び鈴装置１００の呼び鈴音を発生させるインタフェースである。  
マイコン１１０は、入力インタフェース１１１、メモリ１１２、ＣＰＵ１１３、出力インタフェース１１４が、内部バス１１５を介して相互接続されている。マイコン１１０は、呼び鈴ボタン１０１の押圧を契機として、本発明に係る警報電波送信のためのシーケンス制御を行うことになる。  
入力インタフェース１１１は、来訪者３００によって呼び鈴ボタン１０１が押下された状態を示すステータス信号Ｓを取得するためのインタフェースである。  
メモリ１１２は、呼び鈴ボタン１０１が配設された住居ごとに対応づけられた固有の識別子である呼び鈴ＩＤと、呼び鈴音の大きさ、周波数、発生期間等を設定した呼び鈴音情報と、警報電波の大きさ、周波数、発生期間等を設定した警報電波情報を記憶してある。
【００１３】
尚、本発明に係る『警報電波』は、ＡＭ変調やＦＭ変調等いずれの変調方式を採用してもよいが、本発明が多数の商用周波数（ＡＭ・ＦＭラジオ周波数、テレビ周波数、無線通信周波数等）が存在する一般生活環境下において実施される点を鑑みた場合、ＡＭ変調よりも雑音の影響を受けにくく混信防止に優れたＦＭ変調を採用することが好ましい。また、警報電波は、混信防止の観点から、３ｋＨｚ〜３ＴＨｚまでの電波の周波数帯の中で、一般生活環境下に存在する商用周波数を除いた専用の周波数を用いることが好ましい。よって、以下では、メモリ１１２に記憶される警報電波情報は、ＦＭ変調且つ専用周波数を前提とした情報とする。
【００１４】
ＣＰＵ１１３は、マイコン１１０、ひいては呼び鈴装置１００全体のシーケンス制御を統括するプロセッサである。特に、ＣＰＵ１１３は、メモリ１１２から読み出された呼び鈴音情報を有する音源信号Ｍを生成するとともに、メモリ１１２から読み出された呼び鈴ＩＤ及び警報電波情報を有する電波源信号Ｅを生成する。尚、ＣＰＵ１１３は、呼び鈴音報知装置２００が警報電波を運悪く受信できなかった場合等を鑑みて、音源信号Ｍの１回分の生成に際し、電波源信号Ｅを複数回間隔を空けて生成することにする。
【００１５】
出力インタフェース１１４は、ＣＰＵ１１３において生成された音源信号Ｍ、電波源信号Ｅをそれぞれ、ホーン１２０と警報電波送信機１３０に向けて供給するためのインタフェースである。
【００１６】
ＤＡ変換器１２１、増幅器１２２、スピーカー１２３は、呼び鈴音を発生するための電子呼び鈴である。詳述すると、マイコン１１０から供給された音源信号Ｍは、ＤＡ変換器１２１においてＤＡ変換された後、増幅器１２２によって増幅されて所望の呼び鈴音となり、スピーカー１２３を介して出力される。
【００１７】
警報電波送信機１３０は、呼び鈴音に付帯させる警報電波を発生させる送信機であり、ＤＡ変換器１３１、増幅器１３２、発振器１３３、変調器１３４、増幅器１３５、送信アンテナ１３６を有する。詳述すると、マイコン１１０から供給された電波源信号Ｅは、ＤＡ変換器１３１においてＤＡ変換された後、増幅器１３２によって増幅される。変調器１３４は、発振器１３３において発振出力された搬送波の周波数を、増幅器１３２の出力振幅に比例して変化させた被変調波を生成する。この被変調波が、増幅器１３５によって送信可能なレベルまで増幅されて、送信アンテナ１３６より警報電波として送信される。尚、前述したように、ＣＰＵ１１３から複数回電波源信号Ｅが供給されるため、警報電波送信機１３０は、１回分の呼び鈴音の発生に対して、複数回警報電波を送信アンテナ１３６より送信することになる。
【００１８】
＜呼び鈴音報知装置＞
図３は、本発明の一実施形態に係る呼び鈴音報知装置２００の構成を示す図である。
【００１９】
受信アンテナ２０１は、呼び鈴装置１００の送信アンテナ１３６より送信された警報電波を受信するためのアンテナである。  
ＲＦアンプ２０２、選曲回路２０３、局所発振器２０４、混合回路２０５は、いわゆるフロントエンド回路若しくはチューナーである。  
ＲＦアンプ２０２は、受信アンテナ２０１において受信する信号の中から、不図示の同調回路によって予め設定された受信周波数ｆ１の警報電波を選択し、それをＲＦ帯（無線周波数帯）のＲＦ信号へと変換すべく高周波増幅する増幅器である。  
選択回路２０３は、本発明に係る『受信周波数調整回路』の一実施形態であり、実使用におけるメンテナンス面を鑑みて、警報電波の受信周波数を微調整可能とすべく、局所発振器２０４の発振周波数ｆ２を設定する回路である。  
局所発振器２０４は、受信周波数ｆ１とは異なる発振周波数ｆ２の発振信号を生成する発振器である。  
混合回路２０５は、ＲＦアンプ２０２からのＲＦ信号と局所発振器２０４からの発振信号とを混合させて、周波数成分（ｆ２−ｆ１）及び周波数成分（ｆ２＋ｆ１）の信号を生じさせる回路である。ここで、不図示のＢＰＦによって、周波数成分（ｆ２−ｆ１）又は周波数成分（ｆ２＋ｆ１）のいずれか一方の周波数成分を有した信号、すなわちＩＦ信号（中間周波信号）が取り出される。  
ＩＦアンプ２０６は、ＩＦ信号を検波可能なレベルまで増幅する可変利得増幅器である。
【００２０】
検波回路２０７は、ＩＦアンプ２０６から供給されるＩＦ信号の周波数変化を振幅変化に変換して、さらにＡＭ検波を施すことでＦＭ検波を行う回路である。このＦＭ検波された信号は、ＡＤ変換器２０８において元の電波源信号ＥへとＡＤ変換されて、マイコン２１０へと供給される。この結果、マイコン２１０は、電波源信号Ｅに基づいて、所望の受信周波数ｆ１の警報電波を受信した旨を識別可能となる。
【００２１】
マイコン２１０は、入力インタフェース２１１、メモリ２１２、ＣＰＵ２１３、出力インタフェース２１４が、内部バス２１５を介して相互接続されている。マイコン２１０は、警報電波の受信を契機として、本発明に係る聴覚障害者４００に対して触覚的及び／又は視覚的に呼び鈴音の有無を報知させるためのシーケンス制御を行うことになる。
【００２２】
入力インタフェース２１１は、ＡＤＣ２０８から電波源信号Ｅを取得するためのインタフェースである。  
メモリ２１２は、呼び鈴装置１００のメモリ１１２に記憶された呼び鈴ＩＤと同一内容である呼び鈴ＩＤと、バイブレータ２２３の振動の大きさ、パターン、発生期間等を設定した触覚警報情報と、ディスプレイ２３３に表示させる警報メッセージ（文字、画像）の内容や表示期間、若しくは、発光素子２３５の警報色の発光パターンや発光期間等を設定した視覚警報情報と、を記憶してある。
【００２３】
ＣＰＵ２１３は、マイコン２１０、ひいては呼び鈴音報知装置２００全体のシーケンス制御を統括するプロセッサである。特に、ＣＰＵ２１３は、メモリ２１２から読み出された呼び鈴ＩＤによって電波源信号Ｅが有する呼び鈴ＩＤと照合し、また、メモリ２１２から読み出された触覚警報情報を有する触覚警報源信号Ｔを生成するとともに、メモリ２１２から読み出された視覚警報情報を有する視覚警報源信号ＳＤ、ＳＬを生成する。  
出力インタフェース２１４は、ＣＰＵ２１３において生成された触覚警報源信号Ｔ、視覚警報源信号ＳＤ、ＳＬをそれぞれ、触覚警報再生系２２０、視覚警報再生系２３０に向けて供給するためのインタフェースである。
【００２４】
触覚警報再生系２２０は、聴覚障害者４００に対して、警報電波を受信した旨を触覚的に報知させるための再生系である。詳述すると、マイコン２１０から供給された触覚警報源信号Ｔは、ＤＡ変換器２２１においてＤＡ変換されて所望のモータ駆動信号となり、モータドライバ２２２は、このモータ駆動信号を用いてバイブレータ２２３が具備するモータを駆動させる。この結果、バイブレータ２２３は、聴覚障害者４００に対して来訪者３００の来訪した旨を知らせるための所望の振動がなされる。
【００２５】
視覚警報再生系２３０は、聴覚障害者４００に対して、警報電波を受信した旨を視覚的に報知させるための再生系である。詳述すると、マイコン２１０から供給された視覚警報源信号ＳＤは、ＤＡ変換器２３１においてＤＡ変換されて所望のディスプレイ駆動信号となり、ディスプレイドライバ２３２は、このディスプレイ駆動信号を用いてディスプレイ２３３を駆動させる。この結果、ディスプレイ２３３は、聴覚障害者４００に対して来訪者３００の来訪を知らせるための所望の表示がなされる。また、マイコン２１０から供給された視覚警報源信号ＳＬは、ＤＡ変換器２３４においてＤＡ変換されて発光素子２３５を駆動させる。この結果、発光素子２３５は、聴覚障害者４００に対して来訪者３００の来訪を知らせるための所望の発光がなされる。
【００２６】
＜呼び鈴音報知システムの動作＞
図４は、本発明の一実施形態に係る呼び鈴音報知システムの動作を示したフローチャートである。
【００２７】
まず、来訪者３００は、在宅者である聴覚障害者４００に対して自身の来訪を知らしめるために、呼び鈴装置１００に備え付けられた呼び鈴ボタン１０１を押下した場合とする。  
この場合、呼び鈴装置１００側において、ＣＰＵ１１３は、呼び鈴ボタン１０１が押下された状態を示すステータス信号Ｓを入力インタフェース１１１、内部バス１１５を介して取得し、呼び鈴ボタン１０１が押下されたことを識別する（Ｓ４００）。そして、ＣＰＵ１１３は、内部バス１１５を介して、メモリ１１２から呼び鈴ＩＤ、呼び鈴音情報、警報電波情報を読み出す（Ｓ４０１）。
【００２８】
つぎに、ＣＰＵ１１３は、メモリ１１２から読み出した呼び鈴音情報に基づいて音源信号Ｍを生成して、出力インタフェース１１４を介してＤＡＣ１２１へと供給する。この結果、マイコン１１０から供給された音源信号Ｍに基づいた所望の呼び鈴音がスピーカー１２３より出力される（Ｓ４０２）。
【００２９】
また、ＣＰＵ１１３は、音源信号Ｍの生成と併行して、メモリ１１２から読み出した呼び鈴ＩＤ及び警報電波情報に基づいて電波源信号Ｅを生成して、出力インタフェース１１４を介して警報電波送信機１３０へと供給する。この結果、警報電波送信機１３０は、マイコン１１０から供給された電波源信号Ｅに基づいてＦＭ変調を施した所望の警報電波を生成する（Ｓ４０３）。尚、様々な要因による受信不良を考慮して、予め定められた指定回数分の警報電波が送信される（Ｓ４０４：ＹＥＳ）。
【００３０】
一方、在宅者である聴覚障害者４００が携帯する呼び鈴音報知装置２００では、受信アンテナ２０１において呼び鈴装置１００からの１回分の警報電波を受信した場合とする（Ｓ４０５）。この場合、選曲回路２０３において予め設定しておいた受信周波数ｆ１と合致した警報電波が、フロントエンド回路（ＲＦアンプ２０２、混合回路２０５等）に取り込まれて、検波回路２０７においてＦＭ検波される。この結果、呼び鈴ＩＤを有する電波源信号Ｅが復元されて、入力インタフェース２１１、内部バス２１５を介してＣＰＵ２１３へと供給される。
【００３１】
ＣＰＵ２１３は、この供給された電波源信号Ｅに含まれる呼び鈴ＩＤと、メモリ２１２に予め記憶しておいた呼び鈴ＩＤとの照合を行う（Ｓ４０６）。ＣＰＵ２１３は、これらの呼び鈴ＩＤの照合がとれた場合に（Ｓ４０６：ＹＥＳ）、所望の警報電波を受信した旨を識別して、メモリ２１２から触覚警報情報及び視覚警報情報を読み出す（Ｓ４０７）。このように呼び鈴ＩＤの照合をとる結果、呼び鈴ＩＤは各住居ごとに固有であるため、例えば、呼び鈴音報知装置２００が、隣の住居の呼び鈴装置１００からの警報電波に反応しなくて済むようになる。
【００３２】
そして、ＣＰＵ２１３は、メモリ２１２から読み出した触覚警報情報を有した触覚警報源信号Ｔを生成して触覚警報再生系２２０へと供給する。また、ＣＰＵ２１３は、触覚警報源信号Ｔの生成と併行して、メモリ２１２から読み出した視覚警報情報を有した視覚警報情報ＳＤ、ＳＬを生成して視覚警報再生系２３０へと供給する。
【００３３】
この結果、触覚警報再生系２２０では、マイコン２１０から供給された触覚警報源信号Ｔに応じたバイブレータ２２３の振動がなされ（Ｓ４０８）、また、視覚警報再生系２３０では、マイコン２１０から供給された視覚警報源信号ＳＤ、ＳＬに応じたディスプレイ２２３における警報メッセージの表示や発光素子２３５での警報色の発光がなされる（Ｓ４０９）。
【００３４】
以上、本実施の形態について説明したが、前述した実施例は、本発明の理解を容易にするためのものであり、本発明を限定して解釈するためのものではない。本発明は、その趣旨を逸脱することなく、変更／改良され得るととともに、本発明にはその等価物も含まれる。
【図面の簡単な説明】
【００３５】
【図１】本発明に係る呼び鈴音報知システムの一適用事例を示した図である。
【図２】本発明の一実施形態に係る呼び鈴装置の構成を示す図である。
【図３】本発明の一実施形態に係る呼び鈴音報知装置の構成を示す図である。
【図４】本発明の一実施形態に係る呼び鈴音報知システムの動作を示したフローチャートである。
【符号の説明】
【００３６】
１００  呼び鈴装置                      １０１  呼び鈴ボタン
１１０、２１０  マイコン                １１１、２１１  入力インタフェース
１１２、２１２  メモリ                  １１３、２１３  ＣＰＵ
１１４、２１４  出力インタフェース      １１５、２１５  内部バス
１２１、１３１、２２１  ＤＡ変換器      １２３  スピーカー
１２２  増幅器                          １３０  警報電波送信機
１３２、１３５  増幅器                  １３３  発振器
１３４  変調器                          １３６  送信アンテナ
２００  呼び鈴音報知装置                ２０１  受信アンテナ
２０２  ＲＦアンプ                      ２０３  選曲回路
２０４  局所発振器                      ２０５  混合回路
２０６  ＩＦアンプ                      ２０７  検波回路
２０８  ＡＤ変換器                      ２２０  触覚警報再生系
２２２  モータドライバ                  ２２３  バイブレータ
２３０  視覚警報再生系                  ２３２  ディスプレイドライバ
２３３  ディスプレイ                    ２３１、２３４  ＤＡ変換器
２３５  発光素子                        ４００  聴覚障害者
【図１】
2007183882.tif 000003
【図２】
2007183882.tif 000004
【図３】
2007183882.tif 000005
【図４】
2007183882.tif 000006